(57)【要約】【課題】杭に対する嵌装作業を容易に行うことができるとともに、杭の外周面とマット本体の穴の内周面との隙間から草が生育するのを防止することができる防草マットを提供する。【解決手段】防草マット１３のマント本体１３ａの中央部に形成された穴１３ｂの内周面１３ｃの下部に遮蔽片１３ｄを一体に形成する。前記遮蔽片１３ｄの下面に摩擦抵抗低減層１４を接着する。地面１１に構築された安全杭１２に対し、前記防草マット１３を上方から前記穴１３ｂを利用して嵌装する。この安全杭１２に対する防草マット１３の嵌装作業時に前記遮蔽片１３ｄが弾性変形されると共に、前記摩擦抵抗低減層１４の下面が安全杭１２の外周面１２ａに弱い摺動摩擦抵抗で接触され、安全杭１２に対する防草マット１３の嵌装作業を円滑に行うことができる。【選択図】図１
2007124987.tif 000002
【特許請求の範囲】
【請求項１】
マット本体に対し杭を上下方向に貫通する穴を形成し、該穴の内周縁に対し、該内周縁と前記杭の外周面との間に形成される隙間を遮蔽するための弾性変形可能な遮蔽片を設け、該遮蔽片の下面に対し杭の外周面との摺動摩擦抵抗を低減するための摩擦抵抗低減手段を設けたことを特徴とする防草マット。
【請求項２】
請求項１において、前記摩擦抵抗低減手段は、前記遮蔽片の下面に接着された摩擦抵抗低減層により形成されていることを特徴とする防草マット。
【請求項３】
請求項１において、前記摩擦抵抗低減手段は、遮蔽片の下面に形成され、かつ表面積を低減する凹部が形成されていることを特徴とする防草マット。
【請求項４】
請求項１〜３のいずれか一項において、前記マット本体の外周縁には風による浮き上がりを防止する浮上防止手段が設けられていることを特徴とする防草マット。
【請求項５】
請求項４において、前記浮上防止手段は、前記マット本体の外周縁に対し、該本体の肉厚寸法よりも大きい肉厚寸法に形成された突条部であることを特徴とする防草マット。
【発明の詳細な説明】
【技術分野】
【０００１】
本発明は、例えば河川敷や公園或いは道路の路肩等に配設された安全杭或いは区画杭等の杭の外周及びその近傍の地表に雑草が生育するのを防ぐための防草マットに関する。
【背景技術】
【０００２】
例えば、河川敷に生育する雑草は、自走草刈機により刈り取られ、河川敷に配設された安全杭の外周近傍の地表に生育した雑草は作業者が手動操作する草刈機によって刈り取られる。安全杭の外周近傍の雑草を刈り取る際には、草刈機の回転刃が安全杭の表面に接触して、回転刃や安全杭を損傷することがある。この問題を解消するため、特許文献１に開示された除草マットを安全杭の外周面に嵌装して、安全杭の近傍の雑草の生育を防止することが考えられる。この除草マットはマット本体の中央部に柱を挿入する円形の穴を形成したものであるが、この穴を利用して前記安全杭に除草マットを嵌装する。
【０００３】
一方、特許文献２に開示された防草マットを安全杭の外周面に嵌装することも考えられる。この防草マットのマット本体の中央部には樹木貫通孔が形成され、該貫通孔からマット本体の周縁まで及ぶ装着用の切り込みが設けられている。前記マット本体の裏面には、前記貫通孔を覆うように複数の切り込みを放射状に設けたゴムシートが接着され、このゴムシートにより前記樹木貫通孔と樹木との間の隙間を遮蔽するようになっている。
【特許文献１】実開昭６１−８０６８２号公報
【特許文献２】特開平９−１３５６３８号公報
【発明の開示】
【発明が解決しようとする課題】
【０００４】
ところが、特許文献１に記載の除草マットを、例えば太径の安全杭に嵌装する場合に、安全杭の外周面とマット本体の穴の内周面との接触面積が広くなって摺動摩擦抵抗が大きくなり、除草マットの嵌装作業が非常に煩わしいという問題が生じる。この問題を解消するため、安全杭の外径寸法よりもマット本体の穴の径寸法を大きくすると、安全杭の外周面と穴の内周面との隙間が大きくなって、その隙間から草が生育するので、それを例えば鎌を用いて刈り取らなければならないという問題がある。
【０００５】
一方、特許文献２に記載の防草マットは、マット本体に装着用切り込みがあるので、例えば一辺が３００ｍｍ程度の太い四角柱状の安全杭に嵌装する場合であっても、嵌装作業を容易に行うことができるとともに、嵌装後に安全杭と貫通孔との隙間を前記ゴムシートにより閉鎖することもできる。しかし、前記装着用切り込みをそのままにしておくと、隙間ができ易く、その隙間から雑草が生育するので、切り込みをマット本体の裏側から覆う帯状ゴムシートを接着する作業が必要となり、結局のところ安全杭に対する防草マットの嵌装作業が非常に面倒であるという問題がある。
【０００６】
本発明は、上記従来の問題点を解消して、杭に対する嵌装作業を容易に行うことができるとともに、杭の外周面とマット本体の穴の内周面との隙間から草が生育するのを防止することができる防草マットを提供することにある。
【課題を解決するための手段】
【０００７】
上記問題点を解決するために、請求項１に記載の発明は、マット本体に対し杭を上下方向に貫通する穴を形成し、該穴の内周縁に対し、該内周縁と前記杭の外周面との間に形成される隙間を遮蔽するための弾性変形可能な遮蔽片を設け、該遮蔽片の下面に対し杭の外周面との摺動摩擦抵抗を低減するための摩擦抵抗低減手段を設けたことを要旨とする。
【０００８】
請求項２に記載の発明は、請求項１において、前記摩擦抵抗低減手段は、前記遮蔽片の下面に接着された摩擦抵抗低減層により形成されていることを要旨とする。
請求項３に記載の発明は、請求項１において、前記摩擦抵抗低減手段は、遮蔽片の下面に形成され、かつ表面積を低減する凹部が形成されていることを要旨とする。
【０００９】
請求項４に記載の発明は、請求項１〜３のいずれか一項において、前記マット本体の外周縁には風による浮き上がりを防止する浮上防止手段が設けられていることを要旨とする。
【００１０】
請求項５に記載の発明は、請求項４において、前記浮上防止手段は、前記マット本体の外周縁に対し、該本体の肉厚寸法よりも大きい肉厚寸法に形成された突条部であることを要旨とする。
【発明の効果】
【００１１】
本発明によれば、マット本体の穴の内周面に設けた遮蔽片の下面に対し杭の外周面との摺動摩擦抵抗を低減するための摩擦抵抗低減手段を設けた。このため、杭に対し防草マットを嵌装する際に遮蔽片の下面の摩擦抵抗低減手段が杭の外周面に接触されて下方に移動される際に、摺動摩擦抵抗が低減されるので、杭への防草マットの嵌装作業を容易に行うことができる。又、マットの嵌装作業の際に前記遮蔽片が弾性変形されて杭の外周面に押圧されるので、杭の外周面とマット本体の穴の内周面との隙間が密閉されて草が生育するのを防止することができる。
【発明を実施するための最良の形態】
【００１２】
以下、本発明を具体化した防草マットの一実施形態を図１〜図６にしたがって説明する。
図１に示すように河川敷の地面１１に構築された安全杭１２は、コンクリートにより四角柱状に形成されている。この安全杭１２には、その周囲の地面１１から芝草や雑草等の草の成長を防止するための防草マット１３が嵌装されている。この防草マット１３は、図２に示すように、平面視正方形状に形成され、そのゴム製のマット本体１３ａの中央部には前記安全杭１２を緩く貫通するための穴１３ｂが、同じく平面視正方形状に形成されている。前記穴１３ｂの内周面１３ｃの下部には、安全杭１２の外周面１２ａと穴１３ｂの内周面１３ｃとの隙間を遮蔽するための遮蔽片１３ｄが前記穴１３ｂの内側に指向するように全周にわたって平面視正四角環状に一体形成されている。この遮蔽片１３ｄは、先端へ行くほど、薄肉となる断面楔状に、かつ外力によって上下方向の弾性変形可能に形成されている。この実施形態では、マット本体１３ａのゴムとして、耐候性を有するエチレン−プロピレン−ジエン共重合ゴム（Ethylene Propylene Diene Monomer；ＥＰＤＭ）を用いている。これ以外に、スチレンブタジエンゴム、ブチルゴム或いはシリコーンゴムを用いたり、これらのゴム製品のリサイクルゴムを用いてもよい。
【００１３】
前記防草マット１３の遮蔽片１３ｄの下面には図５に示すように浅い取付凹所１３ｅが全域にわたって平面視正四角環状に形成され、この取付凹所１３ｅ内には、図３に示すように底面視正四角環状をなす摩擦抵抗低減手段としての摩擦抵抗低減層１４が形成されている。前記摩擦抵抗低減層１４はリサイクルチップとして製造されたゴムチップと、バインダとを混ぜ合わせたものを成形することにより一体形成された板状体により構成され、その板状体が前記取付凹所１３ｅの内面に接着剤により接着されている。摩擦抵抗低減層１４の表面１４ａはゴムチップによる凹凸面となっている。前記ゴムチップとして、例えばＥＰＤＭゴムよりなる成型品を適宜大きさ（例えば１〜３ｍｍ）に粉砕したチップが用いられ、そのかさ密度は、０．５５６ｇ／ｃｍ３程度となっている。一方、バインダとして例えば、ポリウレタンが用いられる。この摩擦抵抗低減層１４は透水性を有する多孔質状に形成され、その表面の凹凸面のうち安全杭１２の外周面１２ａと接触する接触面積が低減されることにより該外周面１２ａとの摺動摩擦抵抗を低減するようにしている。
【００１４】
前記防草マット１３の下面外周縁には、図４に示すように下方に隆起する浮上防止手段としての突条部１３ｆが一体に形成されている。この突条部１３ｆは図３に示すように底面視正四角環状に形成され、マット本体１３ａの外周部の剛性を高めて曲がり難くするとともに、重量を大きくすることにより強風下でのマット本体１３ａの浮き上がりを防止する。
【００１５】
この実施形態においては、図４に示す前記防草マット１３の一辺の長さＬ１を９００ｍｍ、穴１３ｂ以外の防草マット１３の辺方向の長さＬ２を２９５ｍｍ、前記遮蔽片１３ｄの辺方向の張り出し長さＬ３を１０ｍｍ、突条部１３ｆの幅Ｗを１０ｍｍとしている。又、前記安全杭１２の一辺の長さＤ１を３００ｍｍ、前記穴１３ｂの一辺の長さＤ２を３１０ｍｍとしている。さらに、防草マット１３の全体の厚さＴを１５ｍｍとしている。
【００１６】
次に、前記のように構成された防草マット１３を前記安全杭１２に嵌装する動作について説明する。
作業者によって、防草マット１３を、図１に二点鎖線で示す位置から下方に移動して、防草マット１３の穴１３ｂの内部に安全杭１２の上端部を挿入する。このとき、前記遮蔽片１３ｄが安全杭１２の外周面１２ａによって、図５に示す状態から図６に示すように弾性変形されて、安全杭１２に対する防草マット１３の嵌装が行われる。そして、図１に実線で示すように、防草マット１３の下面の突条部１３ｆが地面１１に接触されて防草マット１３の嵌装作業が終了する。
【００１７】
図１に示すように、安全杭１２に防草マット１３が装着された状態では、安全杭１２の外周面１２ａとマット本体１３ａの穴１３ｂの内周面との隙間が遮蔽片１３ｄによって遮蔽されるので、この隙間から雑草が生育することはない。又、安全杭１２の近傍の草刈作業が不要になるので、地面１１の草刈作業を容易に行うことができる。
【００１８】
上記実施形態の防草マット１３によれば、以下のような効果を得ることができる。
（１）上記実施形態では、防草マット１３の穴１３ｂの内周面１３ｃに遮蔽片１３ｄを一体に形成し、遮蔽片１３ｄの下面に摩擦抵抗低減層１４を形成した。このため、前記安全杭１２に防草マット１３を嵌装する際に、図６に示すように、遮蔽片１３ｄが弾性変形されて上方向に湾曲されると共に、安全杭１２の外周面１２ａに摩擦抵抗低減層１４の接触面積の少ない凹凸表面が小さい摺動摩擦抵抗によって接触されるので、安全杭１２に対する防草マット１３の嵌装作業を円滑かつ迅速に行うことができる。仮に、摩擦抵抗低減層１４を有しない遮蔽片１３ｄの下面がコンクリート製の安全杭１２の外周面１２ａに直接接触した場合には、密着した広い面接触状態となって非常に大きな摺動摩擦抵抗が生じて防草マット１３の嵌装作業を円滑に行うことができない。
【００１９】
（２）上記実施形態では、防草マット１３の嵌装作業の際に前記遮蔽片１３ｄが弾性変形されて安全杭１２の外周面１２ａに押圧されるので、安全杭１２の外周面１２ａとマット本体１３ａの穴１３ｂの内周面１３ｃとの隙間が密閉されて草が生育するのを防止することができる。
【００２０】
（３）上記実施形態では、防草マット１３の穴１３ｂの外周寄り下面に図３に示すよう底面視正四角環状の突条部１３ｆを膨出するように一体形成したので、マット本体１３ａの外周縁の剛性を高めて曲がり難くするとともに、重量を大きくすることができる。このため、強風によってマット本体１３ａの外周縁が浮き上がり、その間に周囲の雑草が潜り込んで元の状態に戻らなくなるのを防止することができ、防草マット１３を適正な嵌装状態に安定して保持することができる。
【００２１】
なお、上記実施形態は以下のように変更してもよい。
・図７に示すように、前記防草マット１３の内周面１３ｃに形成された遮蔽片１３ｄの形状を先端ほど上方向に変位する断面楔状に形成してもよい。又、同図二点鎖線で示すように内周面１３ｃの中間位置に遮蔽片１３ｄを形成したり、穴１３ｂの上端部に遮蔽片１３ｄを形成したりしてもよい。これらの構成においては、遮蔽片１３ｄの摩擦抵抗低減層１４が傾斜状態となっているので、安全杭１２に防草マット１３を嵌装する作業の際に、安全杭１２の外周面１２ａに沿って、摩擦抵抗低減層１４が円滑に摺動され、安全杭１２に対する防草マット１３の嵌装作業をさらに円滑に行うことができる。
【００２２】
・図８に示すように、前記摩擦抵抗低減層１４に代えて、遮蔽片１３ｄの裏面に直接多数条の摩擦抵抗低減手段（凹部）としての筋溝１３ｇを形成し、安全杭１２の外周面１２ａとの摺動摩擦抵抗を低減するようにしてもよい。
【００２３】
・図９に示すように、前記防草マット１３の内周面１３ｃの下部に形成された取付凹所１３ｈに対し別部材として形成された遮蔽片１５ａを有する四角環状のリング１５を図示しない接着剤により接着する。前記遮蔽片１５ａの下面１５ｂに対し、遮蔽片１５ａの弾性変形時に安全杭１２の外周面１２ａとの摺動摩擦抵抗を低減するための前記筋溝１３ｇと同様の多数条の筋溝１５ｃや円形の凹部を形成し、杭との接触面積を低減するようにしてもよい。
【００２４】
・図１０に示すように、前記防草マット１３の上面に対し、着色シート２１を図示しない接着剤により接着してもよい。この着色シート２１によって、例えばマット本体１３ａの表面が緑色或いは茶色等に着色され、周囲の草や地面との調和を図ることができる。
【００２５】
・図１１に示すように、防草マット１３の表面（上面）に対し、直線状の溝１３ｉを互いに平行に多数箇所に形成してもよい。又、図示しないが、前記溝１３ｉと交差するように溝を形成してもよい。さらに、溝１３ｉに代えて、凹凸模様を形成してもよい。これらの場合には、溝１３ｉや凹凸模様によって、防草マット１３の上面の外観を向上することができる。
【００２６】
・図１２に示すように、前記防草マット１３の外周寄り位置に浮上防止手段としての例えば鉄製の重錘２２を埋設してもよい。
・図１３に示すように、防草マット１３の外周縁の上部に例えば四半円弧状や傾斜平面状の面取部１３ｊを形成し、強風により防草マット１３の外周表面が下方への押圧力を受けて防草マット１３が浮上し難くしてもよい。
【００２７】
・図示しないが、前記摩擦抵抗低減層１４の材料として、例えば、ゴムにオイルを含浸させた材料等の各種の低摺動摩擦材料を用いてもよい。
・前記突条部１３ｆをマット本体１３ａの上面に形成したり、上下両面に形成したりしてもよい。
【００２８】
・前記防草マット１３の穴１３ｂの形状を円形、楕円形、三角形、五角形或いは六角形以上の多角形とし、それらに合わせて遮蔽片１３ｄの形状を相似形に変更してもよい。
・防草マット１３のマット本体１３ａを前述した摩擦抵抗低減層１４の材料と同じ透水性を有する材料により形成してもよい。この場合には、摩擦抵抗低減層１４を別体で形成して接着する必要がないので、製造を容易に行うことができる。
【００２９】
（定義）この明細書において、杭は安全杭、区画杭の他に、柱或いはブロック状の椅子や物置台を含むものとする。
【図面の簡単な説明】
【００３０】
【図１】この発明の防草マットを具体化した一実施形態を示す使用状態の縦断面図。
【図２】防草マットを上方から見た一部破断斜視図。
【図３】防草マットを下方から見た斜視図。
【図４】安全杭と防草マットの寸法関係を示す断面図。
【図５】防草マットの要部を示す拡大断面図。
【図６】防草マットの内周面及び摩擦抵抗低減層の動作を説明する拡大断面図。
【図７】この発明の別の実施形態を示す防草マットの部分断面図。
【図８】この発明の別の実施形態を示す防草マットの下方から見た斜視図。
【図９】この発明の別の実施形態を示す防草マットの部分断面図。
【図１０】この発明の別の実施形態を示す防草マットの断面図。
【図１１】この発明の別の実施形態を示す防草マットの上方から見た斜視図。
【図１２】この発明の別の実施形態を示す防草マットの部分断面図。
【図１３】この発明の別の実施形態を示す防草マットの部分断面図。
【符号の説明】
【００３１】
１２…安全杭、１２ａ…外周面、１３…防草マット、１３ａ…マット本体、１３ｂ…穴、１３ｄ，１５ａ…遮蔽片、１３ｆ…浮上防止手段としての突条部、１３ｇ…摩擦抵抗低減手段としての筋溝、１４…摩擦抵抗低減手段としての摩擦抵抗低減層、１５…リング、１５ｂ…下面、１５ｃ…摩擦抵抗低減手段としての筋溝。
【図１】
2007124987.tif 000003
【図２】
2007124987.tif 000004
【図３】
2007124987.tif 000005
【図４】
2007124987.tif 000006
【図５】
2007124987.tif 000007
【図６】
2007124987.tif 000008
【図７】
2007124987.tif 000009
【図８】
2007124987.tif 000010
【図９】
2007124987.tif 000011
【図１０】
2007124987.tif 000012
【図１１】
2007124987.tif 000013
【図１２】
2007124987.tif 000014
【図１３】
2007124987.tif 000015